(57)【要約】  【課題】当該ラベルシートがプリンタ等の内部に縦向き或いは横向きに搬送されても、ラベル紙が剥離紙から剥がれてしまうことがなく、また、ラベル片を剥離紙から剥がす際には簡単に剥がすことができるといったラベルシートを提供する。  【解決手段】１又は複数のラベル片３を配置するラベル片配置領域Ｌとラベル片３を配置しないラベル片非配置領域Ｍとを連続して設けた少なくとも隅部を有するラベル紙１と、このラベル紙１の裏面側に重合配置され前記ラベル片３を剥離可能に支持する剥離紙２とを少なくとも備えるラベルシートＡであって、前記ラベル片配置領域Ｌの隅部ＬＡ１等と対応する前記ラベル片非配置領域Ｍに、ラベル紙１及び剥離紙２のうちラベル紙１のみを断裁したラベル紙側ハーフカット部１２を、ラベル紙１の側縁１ｘ及び端縁１ｙに対して非平行に設けるようにした。【選択図】図１
2006091779.tif 000002
【特許請求の範囲】
【請求項１】
１又は複数のラベル片を配置するラベル片配置領域とラベル片を配置しないラベル片非配置領域とを連続して設けた少なくとも隅部を有するラベル紙と、このラベル紙の裏面側に重合配置され前記ラベル片を剥離可能に支持する剥離紙とを少なくとも備えるラベルシートであって、
前記ラベル片配置領域の１以上の隅部と対応する前記ラベル片非配置領域に、ラベル紙及び剥離紙のうちラベル紙のみを断裁したラベル紙側ハーフカット部を、ラベル紙の側縁及び端縁に対して非平行に設けていることを特徴とするラベルシート。
【請求項２】
前記ラベル紙側ハーフカット部を、ラベル紙の側縁及び端縁に対して４５度に傾斜させて設けていることを特徴とする請求項１記載のラベルシート。
【請求項３】
前記ラベル紙側ハーフカット部が略直線状のものであって、
このラベル紙側ハーフカット部の一端側を仮想的に延長させた仮想延長線が、ラベル片と交わるように構成していることを特徴とする請求項１または２記載のラベルシート。
【請求項４】
一対のラベル紙側ハーフカット部を、前記ラベル片配置領域の隅部を挟み込む位置に設けていることを特徴とする請求項１乃至３いずれか記載のラベルシート。
【請求項５】
各々のラベル紙側ハーフカット部が略直線状のものであって、
一対のラベル紙側ハーフカット部を、それらが略直線状を成すように設けていることを特徴とする請求項４記載のラベルシート。
【請求項６】
ラベル片同士の境界およびラベル片とラベル片非配置領域との境界に、ラベル紙及び剥離紙のうちラベル紙のみを断裁した輪郭部を設け、この輪郭部と前記ラベル紙側ハーフカット部とが、少なくとも一部で連続するように構成していることを特徴とする請求項１乃至５いずれか記載のラベルシート。
【請求項７】
複数のラベル紙側ハーフカット部を、ラベル紙について上下または左右対称となるように、前記ラベル片非配置領域に設けていることを特徴とする請求項１乃至６いずれか記載のラベルシート。
【請求項８】
複数のラベル片配置領域が離間して設けられて成るものであって、
前記ラベル紙側ハーフカット部を、複数のラベル片配置領域に挟まれていないラベル片非配置領域に設けていることを特徴とする請求項１乃至７いずれか記載のラベルシート。
【請求項９】
前記ラベル紙側ハーフカット部を、前記ラベル片配置領域の縁部における各ラベル片の隅部と対応する前記ラベル片非配置領域にも、さらに設けていることを特徴とする請求項１乃至８いずれか記載のラベルシート。
【請求項１０】
平面視略矩形状の複数のラベル片が、整列した状態でラベル片配置領域に配置されて成るものであって、
前記ラベル紙側ハーフカット部を、ラベル片の長辺が配置される側のラベル片非配置領域の縁部に設け、短辺が配置される側のラベル片非配置領域の縁部には設けないように構成していることを特徴とする請求項９記載のラベルシート。
【請求項１１】
前記剥離紙の反ラベル紙側面における前記ラベル紙側ハーフカット部と対応する位置に、そのラベル紙側ハーフカット部が設けられていることを明示するハーフカット明示部を備えていることを特徴とする請求項１乃至１０いずれか記載のラベルシート。
【請求項１２】
複数のラベル片がラベル片配置領域に配置されるものであって、
複数のラベル片のうち少なくとも１以上のラベル片に対してラベル紙側ハーフカット部を設けていることを特徴とする請求項１乃至１１いずれか記載のラベルシート。
【請求項１３】
１又は複数のラベル片を配置するラベル片配置領域とラベル片を配置しないラベル片非配置領域とを連続して設けた平面視略矩形状のラベル紙と、このラベル紙の裏面側に重合配置され前記ラベル片を剥離可能に支持する剥離紙とを少なくとも備えるラベルシートであって、
前記ラベル片配置領域の１以上の隅部と対応する剥離紙に、当該剥離紙のみを断裁した剥離紙側ハーフカット部を、ラベル紙の側縁及び端縁に対して非平行に設けていることを特徴とするラベルシート。
【請求項１４】
前記ラベル片配置領域の１以上の隅部と対応する前記ラベル片非配置領域に、ラベル紙及び剥離紙のうちラベル紙のみを断裁したラベル紙側ハーフカット部を、ラベル紙の側縁及び端縁に対して非平行に設けるとともに、
このラベル紙側ハーフカット部と、前記剥離紙側ハーフカット部とを少なくとも一部で連続させていることを特徴とする請求項１３記載のラベルシート。
【請求項１５】
１又は複数のラベル片を配置するラベル片配置領域とラベル片を配置しないラベル片非配置領域とを連続して設けた少なくとも隅部を有するラベル紙と、このラベル紙の裏面側に重合配置され前記ラベル片を剥離可能に支持する剥離紙とを少なくとも備えるラベルシートであって、
ラベル紙の各辺と平行でない軸回りに作用する曲げ力に対応させて、ラベル紙と剥離紙とが重合した状態のラベル片非配置領域の折曲耐力を、ラベル片配置領域の隅部の折曲耐力よりも低くするための折曲促進部を設けたことを特徴とするラベルシート。
【発明の詳細な説明】
【技術分野】
【０００１】
本発明は、剥離紙からラベル片を剥がして使用するタイプのラベルシートに関するものである。
【背景技術】
【０００２】
従来から、タックフォーム等で採用されているような、ラベル片以外の余白を予め剥がしておく所謂「カスあげ」加工を施したラベルシートが提供されている。この種のラベルシートは、内部の搬送経路が比較的複雑なレーザプリンタや普通紙コピー機等（以下、レーザプリンタ等と呼ぶ。）に搬送させたときには、ラベル片が剥がれてしまうといった問題点を有しており、また、内部の搬送経路が比較的単純なインクジェットプリント等に搬送させたときであっても、ラベル片以外の部分の剥離紙にインクが付いてしまうといった問題点を有している。このため、レーザプリンタ等やインクジェットプリンタ等（以下、プリンタ等と呼ぶ）を搬送させるラベルシートは、「カスあげ」加工をせず、剥離紙の上に剥離可能に貼着したラベル紙に、１又は複数のラベル片を配置するラベル片配置領域とラベル片を配置しないラベル片非配置領域とを、輪郭部（切り込み線）を介して連続して設けることで、上述した不具合を抑制するように構成されている。そして、搬送中にラベル片が剥離紙から不意に剥がれることを抑制するため、ラベル紙と剥離紙との間の粘着層に適度な粘着力を与えつつ、ラベル片を剥離紙から簡単に剥がせるように、ラベル片配置領域の縁部中央と対応するラベル片非配置領域に、前記輪郭部と連続させてその輪郭部と同様のハーフカット部（切り込み部）が設けられている（例えば、特許文献１参照。）。
【特許文献１】特開２０００−１０４８８号公報（第３〜４頁、第２図）
【発明の開示】
【発明が解決しようとする課題】
【０００３】
しかしながら、このようにハーフカット部が、ラベルシートの搬送方向と直交する方向に延びるようにして設けられていると、例えば、ラベルシートをプリンタ等の内部を搬送させたとき、搬送中のラベルシートがＵ字状に屈曲し、その結果、ハーフカット部が形成されている部分から、ラベル片非配置領域のラベル紙が剥離紙よりめくれ上がってしまう等といった問題点を有している。また、ハーフカット部を、ラベルシートの搬送方向に平行に延びるように設けたとしても、ラベルシートがいずれの方向に搬送されるかは装置によってよりけりであり、本質的な改善にはならない。
【０００４】
また、このようなラベル紙が剥離紙よりめくれ上がってしまうことを抑制するために、ラベル紙と剥離紙との粘着力を強くすると、ラベル片を剥離紙から剥がし難くなるといった不具合が発生する。
【０００５】
本発明は、このような課題に着目してなされたものであって、主たる目的は、当該ラベルシートがプリンタ等の内部に縦向き或いは横向きに搬送されても、ラベル紙が剥離紙から剥がれてしまうことがなく、また、ラベル片を剥離紙から剥がす際には簡単に剥がすことができるといったラベルシートを提供することにある。
【課題を解決するための手段】
【０００６】
すなわち、本発明のラベルシートは、１又は複数のラベル片を配置するラベル片配置領域とラベル片を配置しないラベル片非配置領域とを連続して設けた少なくとも隅部を有するラベル紙と、このラベル紙の裏面側に重合配置され前記ラベル片を剥離可能に支持する剥離紙とを少なくとも備えるラベルシートであって、前記ラベル片配置領域の１以上の隅部と対応する前記ラベル片非配置領域に、ラベル紙及び剥離紙のうちラベル紙のみを断裁したラベル紙側ハーフカット部を、ラベル紙の側縁及び端縁に対して非平行に設けていることを特徴とする。
【０００７】
このようなものであれば、当該ラベルシートをプリンタ等の内部を搬送させるとき、印刷の向きが、いわゆる「縦」向き或いは「横」向きのいずれであっても、ラベル紙の側縁及び端縁に対して非平行に設けたラベル紙側ハーフカット部は、搬送方向及び印字ヘッダの移動方向のいずれに対しても平行にはならないので、ラベル紙側ハーフカット部をラベルシートの搬送方向と直交する方向或いは平行に設けたものと比べ、ラベル紙側ハーフカット部が形成されている部分から、ラベル片等が剥離紙よりめくれ上がってしまうことを抑制することができる。また、例えば、ラベル紙側ハーフカット部またはその近傍を屈曲させるなどすれば、ラベル紙側ハーフカット部の間近のラベル片の隅部が剥離紙から剥がれ始めるので、この部分を掴み代にしてラベル片を剥離紙から容易に取り剥がすこともできる。すなわち、当該ラベルシートをプリンタ等の内部を搬送させたときに、その印刷の向きが縦向きであっても横向きであっても、ラベル紙が剥離紙から剥がれてしまうことがなく、また、ラベル片を剥離紙から剥がす際には簡単に剥がすことができるといった優れたラベルシートを提供することができる。
【０００８】
この場合、前記ラベル紙側ハーフカット部を、ラベル紙の側縁及び端縁に対して４５度に傾斜させて設けているものであれば、その効果は顕著になる。
【０００９】
また、前記ラベル紙側ハーフカット部が略直線状のものであって、このラベル紙側ハーフカット部の一端側を仮想的に延長させた仮想延長線が、ラベル片と交わるように構成しているものであれば、剥離紙からラベル片を剥離することを促進できる。
【００１０】
ラベル片を剥離紙から剥がし易くするには、一対のラベル紙側ハーフカット部を、前記ラベル片配置領域の隅部を挟み込む位置に設けていることが望ましい。この場合、各々のラベル紙側ハーフカット部が略直線状のものであって、一対のラベル紙側ハーフカット部を、それらが略直線状を成すように設けているものであれば、その効果は顕著になる。
【００１１】
ラベル片同士の境界およびラベル片とラベル片非配置領域との境界に、ラベル紙及び剥離紙のうちラベル紙のみを断裁した輪郭部を設け、この輪郭部と前記ラベル紙側ハーフカット部とが、少なくとも一部で連続するように構成しているものであれば、ラベル片を剥離紙から非常に剥がし易くなる。
【００１２】
複数のラベル紙側ハーフカット部を、ラベル紙について上下または左右対称となるように、前記ラベル片非配置領域に設けているものであれば、上下或いは左右の区別無く使えるので、使い勝手が良い。
【００１３】
無用にラベル紙側ハーフカット部を設けることなく、所期の目的を達成するには、複数のラベル片配置領域が離間して設けられて成るものであって、前記ラベル紙側ハーフカット部を、複数のラベル片配置領域に挟まれていないラベル片非配置領域に設けることが好ましい。
【００１４】
複数のラベル片がある場合にも、各ラベル片を簡単に剥がせるようにするには、前記ラベル紙側ハーフカット部を、前記ラベル片配置領域の縁部における各ラベル片の隅部と対応する前記ラベル片非配置領域にも、さらに設けていることが望ましい。
【００１５】
この場合において、平面視略矩形状の複数のラベル片が、整列した状態でラベル片配置領域に配置されて成るものであって、前記ラベル紙側ハーフカット部を、ラベル片の長辺が配置される側のラベル片非配置領域の縁部に設け、短辺が配置される側のラベル片非配置領域の縁部には設けないように構成しているものであれば、無用にラベル紙側ハーフカット部を設けることなく、所期の目的を達成することができる。
【００１６】
前記剥離紙の反ラベル紙側面における前記ラベル紙側ハーフカット部と対応する位置に、そのラベル紙側ハーフカット部が設けられていることを明示するハーフカット明示部を備えているものであれば、ハーフカット部があることを容易に知り得るので、ラベル片を剥がす際の作業性が高まる。
【００１７】
また、複数のラベル片がラベル片配置領域に配置されるものであって、複数のラベル片のうち少なくとも１以上のラベル片に対してラベル紙側ハーフカット部を設けているものであれば、ラベル紙側ハーフカット部を対応させて設けたラベル片を剥がせばこれを足掛かりとして他のラベル片を容易に剥がすことができる。
【００１８】
本発明のラベルシートの望ましい他の態様としては、１又は複数のラベル片を配置するラベル片配置領域とラベル片を配置しないラベル片非配置領域とを連続して設けた平面視略矩形状のラベル紙と、このラベル紙の裏面側に重合配置され前記ラベル片を剥離可能に支持する剥離紙とを少なくとも備えるラベルシートであって、前記ラベル片配置領域の１以上の隅部と対応する剥離紙に、当該剥離紙のみを断裁した剥離紙側ハーフカット部を、ラベル紙の側縁及び端縁に対して非平行に設けているものが挙げられる。
【００１９】
この場合に、前記ラベル片配置領域の１以上の隅部と対応する前記ラベル片非配置領域に、ラベル紙及び剥離紙のうちラベル紙のみを断裁したラベル紙側ハーフカット部を、ラベル紙の側縁及び端縁に対して非平行に設けるとともに、このラベル紙側ハーフカット部と、前記剥離紙側ハーフカット部とを少なくとも一部で連続させれば、所期の目的を効果的に達成できる。
【００２０】
またさらに、本発明のラベルシートの望ましい他の態様としては、１又は複数のラベル片を配置するラベル片配置領域とラベル片を配置しないラベル片非配置領域とを連続して設けた少なくとも隅部を有するラベル紙と、このラベル紙の裏面側に重合配置され前記ラベル片を剥離可能に支持する剥離紙とを少なくとも備えるラベルシートであって、ラベル紙の各辺と平行でない軸回りに作用する曲げ力に対応させて、ラベル紙と剥離紙とが重合した状態のラベル片非配置領域の折曲耐力を、ラベル片配置領域の隅部の折曲耐力よりも低くするための折曲促進部を設けたものが挙げられる。
【００２１】
ここで、「折曲促進部」を設ける対象としては、ラベル紙、若しくは剥離紙、又は、ラベル紙と剥離紙との両方、の３つの場合が考えられる。そして、この「折曲促進部」の具体的な形成態様としては、折り曲げの案内となるような、例えば、ラベル紙を厚み方向に断裁したものや、マイクロミシン目状のもの、或いは、型押し等により形成した断面視凹形状を有する折り目状のもの等が挙げられる。
【発明の効果】
【００２２】
以上説明したように本発明のラベルシートによれば、当該ラベルシートをプリンタ等の内部を搬送させるとき、印刷の向きが、いわゆる「縦」向き或いは「横」向きのいずれであっても、ラベル紙の側縁及び端縁に対して非平行に設けたラベル紙側ハーフカット部は、搬送方向及び印字ヘッダの移動方向のいずれに対しても平行にはならないので、ラベル紙側ハーフカット部をラベルシートの搬送方向と直交する方向或いは平行に設けたものと比べ、ラベル紙側ハーフカット部が形成されている部分から、ラベル片等が剥離紙よりめくれ上がってしまうことを抑制することができる。また、例えば、ラベル紙側ハーフカット部またはその近傍を屈曲させるなどすれば、ラベル紙側ハーフカット部の間近のラベル片の隅部が剥離紙から剥がれ始めるので、この部分を掴み代にしてラベル片を剥離紙から容易に取り剥がすこともできる。すなわち、当該ラベルシートがプリンタ等の内部に縦向き或いは横向きに搬送されても、ラベル紙が剥離紙から剥がれてしまうことがなく、また、ラベル片を剥離紙から剥がす際には簡単に剥がすことができるといった優れたラベルシートを提供することができる。
【発明を実施するための最良の形態】
【００２３】
以下、本発明の一実施形態を、図面を参照して説明する。
【００２４】
本発明に係るラベルシートＡは、図１、図２に示すように、平面視略矩形状のラベル紙１と、このラベル紙１の裏面側に重合配置される剥離紙２とを具備するものである。
【００２５】
具体的に、各部を説明する。
【００２６】
ラベル紙１は、上質紙から成るものであって、その裏面側にはアクリル系エマルジョンを主たる成分とする粘着層（図示せず）を設けている。
【００２７】
そして、このラベル紙１には、ラベル片３を配置するための領域として設定され且つ２列に離間して並べられたラベル片配置領域ＬＡ、ＬＢ（以下、ラベル片配置領域Ｌと総称する。）と、ラベル片３を配置しない領域として設定されたラベル片非配置領域Ｍとを形成すべく、これらラベル片配置領域Ｌとラベル片非配置領域Ｍとの境界に、当該ラベル紙１を、その厚み分、断裁した輪郭部１１を設けている。また、後述するラベル片３同士の境界にも、同様の輪郭部１１を設けている。これにより、剥がそうとするラベル片３を、他のラベル片３等から独立して剥がすことができる。
【００２８】
ラベル片配置領域Ｌは、ラベル片３を配置するための領域であって、本実施形態では、各ラベル片配置領域Ｌに、それぞれ６個のラベル片３が整列配置されるように構成している。なお、ラベル片３を、各４隅が部分円弧状を成す平面視横長矩形状のものとしているが、これに限られるものではない。
【００２９】
ラベル片非配置領域Ｍは、ラベル片３を配置しない領域として設定したものであるが、本実施形態では、剥離紙２からラベル片３を剥がし取ることを容易にするための合計１２個のラベル紙側ハーフカット部１２ａ〜１２ｌ（以下、ラベル紙側ハーフカット部１２と総称する。）を設けている。
【００３０】
このラベル紙側ハーフカット部１２は、ラベル紙１及び剥離紙２のうちラベル紙１のみを断裁して形成したものであって、折曲促進部としての機能を発揮する。
【００３１】
ここで折曲促進部とは、ラベル紙１の側縁１ｘ及び端縁１ｙと平行でない軸Ｘ回りに作用する曲げ力に対応させて、ラベル紙１と剥離紙２とが重合した状態のラベル片非配置領域Ｍの折曲耐力を、ラベル片配置領域Ｌの隅部の折曲耐力よりも低くする機能を発揮するものである。また、前記軸Ｘが、ラベル紙側ハーフカット部１２ａ、１２ｂの一端側を仮想的に延長させた際にラベル片３と交わる仮想延長線に相当する。
【００３２】
具体的には、左側のラベル片配置領域ＬＡの左上隅部ＬＡ１及び左下隅部ＬＡ２と、右側のラベル片配置領域ＬＢの右上隅部ＬＢ３及び右下隅部ＬＢ４とに、それぞれ２つずつ小計８個のラベル紙側ハーフカット部１２ａ〜１２ｈを設けるとともに、左側のラベル片配置領域ＬＡの右上隅部ＬＡ３及び右下隅部ＬＡ４と、右側のラベル片配置領域ＬＢの左上隅部ＬＢ１及び左下隅部ＬＢ２とに、それぞれ１つずつ小計４個のラベル紙側ハーフカット部１２ｉ〜１２ｌを設けている。
【００３３】
このうち、小計８個のラベル紙側ハーフカット部１２ａ〜１２ｈのうちの、左側のラベル片配置領域ＬＡの左上隅部ＬＡ１を挟み込む位置に設けた一対のラベル紙側ハーフカット部１２ａ、１２ｂについて説明をすると、各ラベル紙側ハーフカット部１２ａ、１２ｂは、略直線状のものである。そして、これら一対のラベル紙側ハーフカット部１２ａ、１２ｂが、左側のラベル片配置領域ＬＡの左上隅部ＬＡ１を挟み込みつつ、略直線状を成しながら、且つ、各ラベル紙側ハーフカット部１２ａ、１２ｂが、ラベル紙１の側縁１ｘ及び端縁１ｙに対して４５度に傾斜するようにして設けられている。すなわち、各ラベル紙側ハーフカット部１２ａ、１２ｂが、ラベル紙１の側縁１ｘ及び端縁１ｙに対して非平行になるようにしている。
【００３４】
また、左側のラベル片配置領域ＬＡの左上隅部ＬＡ１を挟み込む位置に設けた一対のラベル紙側ハーフカット部１２ａ、１２ｂは、左側のラベル片配置領域ＬＡの左上隅部ＬＡ１の輪郭部１１と連続するように構成している。
【００３５】
なお、左側のラベル片配置領域ＬＡの左下隅部ＬＡ２に設けた一対のラベル紙側ハーフカット部１２ｃ、１２ｄは、左側のラベル片配置領域Ｌの左上隅部ＬＡ１に設けた一対のラベル紙側ハーフカット部１２ａ、１２ｂと、ラベル紙１について上下対称に配置されているので説明を省略する。
【００３６】
また、右側のラベル片配置領域ＬＢの右上隅部ＬＢ３及び右下隅部ＬＢ４にそれぞれ設けたラベル紙側ハーフカット部１２ｅ、１２ｆ、１２ｇ、１２ｈも、左側のラベル片配置領域Ｌの左上隅部ＬＡ１及び左下隅部ＬＡ２にそれぞれ設けたラベル紙側ハーフカット部１２ａ、１２ｂ、１２ｃ、１２ｄと、ラベル紙１について左右対称に配置されているので説明を省略する。
【００３７】
また、小計４個のラベル紙側ハーフカット部１２ｉ、１２ｊ、１２ｋ、１２ｌのうちの、左側のラベル片配置領域ＬＡの右上隅部ＬＡ３及び右下隅部ＬＡ４にそれぞれ設けたラベル紙側ハーフカット部１２ｉ、１２ｊも、左側のラベル片配置領域ＬＡの左上隅部ＬＡ１及び左下隅部ＬＡ２にそれぞれ設けたラベル紙側ハーフカット部１２ａ、１２ｄと、左側のラベル片配置領域ＬＡについて左右対称に配置されているので説明を省略する。
【００３８】
同様に、右側のラベル片配置領域ＬＢの左上隅部ＬＢ１及び左下隅部ＬＢ２にそれぞれ設けたラベル紙側ハーフカット部１２ｋ、１２ｌも、右側のラベル片配置領域ＬＢの右上隅部ＬＢ３及び右下隅部ＬＢ４にそれぞれ設けたラベル紙側ハーフカット部１２ｅ、１２ｈと、右側のラベル片配置領域ＬＢについて左右対称に配置されているので説明を省略する。
【００３９】
すなわち、前記ラベル紙側ハーフカット部１２を、ラベル片配置領域ＬＡ、ＬＢ間に挟まれているラベル片非配置領域Ｍ１には設けず、ラベル片配置領域Ｌ間に挟まれていないラベル片非配置領域Ｍ２（以下、ラベル片非配置領域Ｍ１、Ｍ２を、ラベル片非配置領域Ｍと総称する。）には設けている。
【００４０】
剥離紙２は、上質紙からなるものであって、そのラベル紙１面側には、シリコンを主たる成分とする剥離層（図示せず）を設けている。
【００４１】
そして、当該剥離紙２の反ラベル紙側面２ｐにおける前記ラベル紙側ハーフカット部１２と対応する位置（真裏）に、そのラベル紙側ハーフカット部１２の存在を明示するハーフカット明示部２１を設けている。
【００４２】
本実施形態では、このハーフカット明示部２１を、ラベル紙側ハーフカット部１２よりも幅広の線で明示されるように、印刷により形成している。
【００４３】
また、ハーフカット明示部２１に加え、当該剥離紙２の反ラベル紙側面２ｐには、前記輪郭部１１と対応する位置に、その輪郭部１１の存在を明示する、前記ハーフカット明示部２１と同様の輪郭明示部２２を設けている。
【００４４】
さらに、右上隅部及び下側中央部には、印刷により「１２面カット」、「この面がラベルシートの裏面です。」の文字を設けているが、配置場所や内容等は実施態様に応じて適宜変更可能である。
【００４５】
以下、ラベルシートＡの使用方法を以下に説明する。
【００４６】
（１）プリンタ等での印刷。
【００４７】
図示はしていないが、例えば、パソコンに接続されたプリンタ等のオートドキュメントフィーダ（以下、ＡＤＦと呼ぶ。）にラベルシートＡを載置した状態で、そのパソコンからラベル印刷の実行を行うと、ＡＤＦのラベルシートＡはそのままの向きを保ちながらＡＤＦからプリンタ内に取り込まれてその内部を搬送される。そしてプリンタ内の印刷機構によって、当該ラベルシートＡのラベル片３に対して印刷が行われた後、排紙される。
【００４８】
このとき、ＡＤＦにラベルシートＡを、いわゆる「縦」向き或いは「横」向きのいずれの向きに載置していても、ラベル紙側ハーフカット部１２は、ラベル紙１の側縁１ｘ及び端縁１ｙに対して４５度に傾斜させているので、例えば、側縁１ｘ又は端縁１ｙに平行に設けている場合に比べ、ラベル紙側ハーフカット部１２の設けられている部位において、ラベル紙１が剥離紙２から剥がれてしまうといった不具合の発生を格段に抑制することができる。
【００４９】
すなわち、当該ラベルシートＡをプリンタ等の内部を印刷するために搬送させたときに、その印刷の向きが縦向きであっても横向きであっても、ラベル紙１が剥離紙２から剥がれてしまうことがないといった、優れたラベルシートＡを提供することができる。
【００５０】
（２）印刷後のラベル片３を、剥離紙２から取り剥がす場合。
【００５１】
一例として、左側のラベル片配置領域ＬＡの左上隅部ＬＡ１を挟み込むラベル紙側ハーフカット部１２ａ、１２ｂを利用して、左上のラベル片３を取り剥がす方法を挙げて説明する。
【００５２】
印刷を終えたラベルシートＡを、ラベル紙側ハーフカット部１２ａ、１２ｂの裏面にあるハーフカット明示部２１が「谷折り」になるように、軸Ｘ回りに曲げ力を作用させて屈曲させると、ラベル紙１と剥離紙２とが重合した状態のラベル片非配置領域Ｍの折曲耐力を、ラベル片配置領域Ｌの隅部の折曲耐力よりも低くするラベル紙側ハーフカット部１２ａ、１２ｂを設けているので、前記ハーフカット明示部２１の間近のラベル片３の隅部３１が、いわゆる保形力によって形状を保とうとし、この保形力が、ラベル片３と剥離紙２との間に働く粘着力よりも大きくなった際に、剥離紙２から剥がれ始める。そこで、この剥がれたラベル片３の隅部３１を掴み代にして、剥離紙２からラベル片３を取り剥がす向きの力を加えれば、簡単に剥離紙２からラベル片３を取り剥がすことができる。このようにして１枚のラベル片３をラベルシートＡから取り剥がせば、他のラベル片３は、この取り剥がした部分を案内にして簡単に剥離紙２から取り剥がすことができる。
【００５３】
すなわち、印刷を終えたラベルシートＡのラベル片３を、剥離紙２から簡単に剥がすことができるといったラベルシートＡを提供することができる。
【００５４】
このように、本実施形態に係るラベルシートＡによれば、当該ラベルシートＡをプリンタ等の内部を搬送させるとき、印刷の向きが、いわゆる「縦」向き或いは「横」向きのいずれであっても、ラベル紙１の側縁１ｘ及び端縁１ｙに対して４５度を成すように（換言すれば、非平行に）設けたラベル紙側ハーフカット部１２は、搬送方向及び印字ヘッダの移動方向のいずれに対しても平行にはならないので、ラベル紙側ハーフカット部１２をラベルシートＡの搬送方向と直交する方向或いは平行に設けたものと比べ、ラベル紙側ハーフカット部１２が形成されている部分から、ラベル片３等が剥離紙２よりめくれ上がってしまうことを抑制することができる。また、例えば、ラベル紙側ハーフカット部１２またはその近傍を屈曲させるなどすれば、ラベル紙側ハーフカット部１２の間近のラベル片３の隅部３１が剥離紙２から剥がれ始めるので、この部分を掴み代にしてラベル片３を剥離紙２から容易に取り剥がすこともできる。すなわち、当該ラベルシートＡがプリンタ等の内部に縦向き或いは横向きに搬送されても、ラベル紙１が剥離紙２から剥がれてしまうことがなく、また、ラベル片３を剥離紙２から剥がす際には簡単に剥がすことができるといった非常に優れたラベルシートＡを提供することができる。
【００５５】
また、略直線状の一対のラベル紙側ハーフカット部１２を、前記ラベル片配置領域Ｌの隅部ＬＡ１等を挟み込む位置に略一直線状をなすように（換言すれば、一対のラベル紙側ハーフカット部１２同士を結ぶ仮想延長線が、ラベル片３と交わるように）設けているので、ラベル片３を剥離紙２から非常に剥がし易い。
【００５６】
加えて、ラベル片３同士の境界およびラベル片３とラベル片非配置領域Ｍとの境界に、ラベル紙１及び剥離紙２のうちラベル紙１のみを断裁した輪郭部１１を設け、この輪郭部１１と前記ラベル紙側ハーフカット部１２とが、少なくとも一部で連続するように構成しているので、ラベル片３を剥離紙２から非常に剥がし易くなる。
【００５７】
また、複数のラベル紙側ハーフカット部１２を、ラベル紙１について上下または左右対称となるように、前記ラベル片非配置領域Ｍに設けているので、上下或いは左右の区別無く使え、使い勝手が良い。
【００５８】
前記剥離紙２の反ラベル紙側面２ｐにおける前記ラベル紙側ハーフカット部１２と対応する位置に、そのラベル紙側ハーフカット部１２が設けられていることを明示するハーフカット明示部２１を備えているので、ラベル紙側ハーフカット部１２があることを容易に知り得、ラベル片３を剥がす際の作業性を高めることができる。
【００５９】
なお、本発明は、以上に詳述した実施形態に限られるものではない。
【００６０】
例えば、ラベル紙側ハーフカット部１２を略直線状のものとしているが、図３（ａ）〜図（ｃ）に示すように、部分円弧状や波型状或いは山型状のものとするなど、ラベル紙１の側縁１ｘ及び端縁１ｙに対して非平行なものであれば、本実施形態のものに限られるものではない。
【００６１】
また、ラベル紙側ハーフカット部１２は、不連続なミシン目状のものや、型押し等により形成した断面視凹形状を有する折り目状のものであってもよい。
【００６２】
また、軸Ｘの位置や方向も本実施形態のものに限られない。
【００６３】
なお、前記ラベル紙側ハーフカット部１２を、前記ラベル片配置領域Ｌの縁部における各ラベル片３の隅部３２等と対応する前記ラベル片非配置領域Ｍにも、さらに設けるようにしてもよい。
【００６４】
具体的には、図４に示すように、２４個のラベル片３を配置したラベル片配置領域Ｌの上縁部及び下縁部において、その上縁部にある各ラベル片３の各上端部側の隅部３１、３３と対応するラベル片非配置領域Ｍａと、その下縁部にある各ラベル片３の各下端部側の隅部３２、３４と対応するラベル片非配置領域Ｍｂとに、ラベル紙側ハーフカット部１２を設けるようにしたものが挙げられる。
【００６５】
また、前記ラベル紙側ハーフカット部１２を、ラベル片３の長辺が配置される側のラベル片配置領域Ｌの縁部に設け、短辺が配置される側のラベル片配置領域Ｌの縁部には設けないように構成してもよい。
【００６６】
具体的には、図５に示すように、２４個のラベル片３を配置したラベル片配置領域Ｌの上縁部Ｌａ及び下縁部Ｌｂと、左縁部Ｌｃ及び右縁部Ｌｄにおいて、ラベル片３の長辺が配置されるラベル片配置領域Ｌの上縁部Ｌａ及び下縁部Ｌｂと対応するラベル片非配置領域Ｍａ、Ｍｂには、ラベル紙側ハーフカット部１２を設け、ラベル片３の短辺が配置されるラベル片配置領域Ｌの左縁部Ｌｃ及び右縁部Ｌｄと対応するラベル片非配置領域Ｍｃ、Ｍｄには、ラベル紙側ハーフカット部１２を設けないようにしたものが挙げられる。
【００６７】
さらに、前記ラベル片配置領域Ｌの１以上の隅部と対応する剥離紙２に、当該剥離紙２のみを断裁した剥離紙側ハーフカット部２０を、ラベル紙１の側縁１ｘ及び端縁１ｙに対して非平行に設けるようにしてもよい。
【００６８】
この場合には、図６に示すように、このラベル紙側ハーフカット部１２と、前記剥離紙側ハーフカット部２０とを少なくとも一部で連続させれば、ラベル片３を剥離紙２から取り剥がし易くなる。
【００６９】
その他、各部の具体的構成についても上記実施形態に限られるものではなく、本発明の趣旨を逸脱しない範囲で種々変形が可能である。
【図面の簡単な説明】
【００７０】
【図１】本発明の一実施形態に係るラベルシートを表面側から見た平面図。
【図２】同実施形態におけるラベルシートを裏面側から見た図。
【図３】本発明の他の実施形態に係るラベル紙側ハーフカット部を示す平面図。
【図４】本発明の他の実施形態に係るラベルシートを示す平面図。
【図５】本発明の他の実施形態に係るラベルシートを示す平面図。
【図６】本発明の他の実施形態に係るラベルシートの要部を示す平面図。
【符号の説明】
【００７１】
Ａ・・・・・・・・・・・・・・・・ラベルシート
Ｌ（ＬＡ、ＬＢ、）・・・・・・・・ラベル片配置領域
Ｍ（Ｍ１、Ｍ２、Ｍａ〜Ｍｄ）・・・ラベル片非配置領域
１・・・・・・・・・・・・・・・・ラベル紙
１ｘ・・・・・・・・・・・・・・・ラベル紙１の側縁
１ｙ・・・・・・・・・・・・・・・ラベル紙１の端縁
２・・・・・・・・・・・・・・・・剥離紙
２ｐ・・・・・・・・・・・・・・・剥離紙２の反ラベル紙側面
２０・・・・・・・・・・・・・・・剥離紙側ハーフカット部
３・・・・・・・・・・・・・・・・ラベル片
１１・・・・・・・・・・・・・・・輪郭部
１２（１２ａ〜１２ｌ）・・・・・・折曲促進部（ラベル紙側ハーフカット部）
２１・・・・・・・・・・・・・・・ハーフカット明示部
ＬＡ１〜ＬＡ４・・・・・・・・・・ラベル片配置領域ＬＡの隅部
ＬＢ１〜ＬＢ４・・・・・・・・・・ラベル片配置領域ＬＢの隅部
Ｘ・・・・・・・・・・・・・・・・軸
【図１】
2006091779.tif 000003
【図２】
2006091779.tif 000004
【図３】
2006091779.tif 000005
【図４】
2006091779.tif 000006
【図５】
2006091779.tif 000007
【図６】
2006091779.tif 000008